(57)【要約】【課題】補強部によって相手端子と接触する接点部におけるバネ力が強化されている場合においても、相手端子の挿入を円滑にすることができる端子、該端子を用いたケーブル側コネクタ、及び、該ケーブル側コネクタを用いたケーブルコネクタ装置を提供すること。【解決手段】手前から奥に向かって相手端子が挿入される端子挿入空間を有する端子である。端子挿入空間は、第一及び第二の側壁の側縁側同士を折り重ねることによって略筒状に形成されている。端子挿入空間に近い側に配置された、第一の側壁の側縁側には、片持ち梁状に支持された接触片が相手端子の挿入方向に沿って設けられている。端子挿入空間から遠い側に配置された、第二の側壁の側縁側には、接触片を高さ方向にて補強する片持ち梁状に支持された補強部が相手端子の挿入方向に沿って設けられている。接触片に設けた相手端子との接点部は、接触片の支持部よりも、挿入方向において奥側に位置する。【選択図】図１
2019023961.tif 000002
【特許請求の範囲】
【請求項１】
手前から奥に向かって相手端子が挿入される端子挿入空間を有する端子であって、
前記端子挿入空間は、幅方向にて互いに離間され且つ高さ方向にてそれぞれ高さを有する第一及び第二の側壁の側縁側同士を折り重ねることによって略筒状に形成されており、
前記端子挿入空間に近い側に配置された、前記折り重ねられた前記第一の側壁の側縁側には、前記高さ方向にて弾性変位可能な状態で片持ち梁状に支持された接触片が前記相手端子の挿入方向に沿って設けられており、
前記端子挿入空間から遠い側に配置された、前記折り重ねられた前記第二の側壁の側縁側には、前記接触片を前記高さ方向にて補強する片持ち梁状に支持された補強部が前記相手端子の挿入方向に沿って設けられており、
前記接触片に設けた前記相手端子との接点部は、前記接触片の支持部よりも、前記挿入方向において奥側に位置する、
ことを特徴とする端子。
【請求項２】
前記高さ方向において前記接触片と対面している前記端子挿入空間の内壁に対して、前記接触片の接点部は、前記接触片の支持部よりも、前記高さ方向にて近接している、請求項１に記載の端子。
【請求項３】
前記接触片の自由端は、前記補強部と前記高さ方向にて対面している、請求項１又は２に記載の端子。
【請求項４】
前記補強部の側縁は、前記接触片とは反対側の前記補強部の面に向かって折り返されており、
折り返された前記補強部の側縁に、片持ち梁状に支持されたランス用の片が形成されている、請求項１乃至３のいずれかに記載の端子。
【請求項５】
前記ランス用の片は、前記幅方向と前記高さ方向の双方に沿う断面において略Ｌ字形状を有する、請求項４に記載の端子。
【請求項６】
前記接触片は、該接触片の支持部の近傍に、前記高さ方向にて前記接触片の面を打ち出した打ち出し部を有する、請求項１乃至５のいずれかに記載の端子。
【請求項７】
前記高さ方向にて前記接触片の接点部と対面している前記端子挿入空間の内壁に、前記高さ方向にて前記端子挿入空間側に突出する凸部が設けられている、請求項１乃至６のいずれかに記載の端子。
【請求項８】
前記補強部は支持部によって片持ち梁状に支持されており、前記補強部の自由端側は、前記補強部の支持部よりも、前記挿入方向において奥側に位置する、請求項１乃至７のいずれかに記載の端子。
【請求項９】
請求項１乃至７のいずれかに記載の端子を保持するハウジングを有するコネクタ。
【請求項１０】
請求項９に記載の前記コネクタと、該コネクタと嵌合される相手コネクタとを備えるコネクタ装置。
【発明の詳細な説明】
【技術分野】
【０００１】
本発明は、側壁の側縁側同士を折り重ねることによって略筒状に形成された端子挿入空間を有する端子、特に、該端子挿入空間に相手端子と接触させる接触片を有する端子に関する。
【背景技術】
【０００２】
特許文献１に、この種の端子の一例が開示されている。この端子は、前端側に相手側の雄型端子が挿入される端子挿入口を有する矩形筒状の端子挿入空間を備え、該端子挿入空間は、更に、端子挿入空間を構成する一方の面から前端側に突出すると共に対向する筒壁に向けて屈曲し、互いに重ね合わされた一対の弾性接触片を備える。
互いに重ね合された一対の弾性接触片のうち、対向する筒壁に近い側に配置された第１弾性接触片には、端子挿入空間に相手側の雄型端子が挿入されたときに、この雄型端子と接触する接点部が設けられている。一方、対向する筒壁から遠い側に配置された第２弾性接触片は、第１弾性接触片と重ね合わされることにより、第１弾性接触片にバネ力を付与等する補強部として機能し得る。
【先行技術文献】
【特許文献】
【０００３】
【特許文献１】特開２０１１−１５４９４４号
【発明の概要】
【発明が解決しようとする課題】
【０００４】
特許文献１の構成によれば、第２弾性接触片を利用して、第１弾性接触片のバネ力を補強することができるが、ここでは、第１弾性接触片に設けた相手端子と接触する接点部が、第１弾性接触片を支持している支持部よりも、雄型端子の挿入方向において手前側に位置付けられているため、相手端子の挿入の初期段階において、相手端子が接点部と比較的大きな力を受ける状態で衝突することになってしまうため、この衝突によって相手端子の挿入が妨げられてしまうおそれがある。特に、第１弾性接触片を補強する第２弾性接触片を設けている場合には、接点部のバネ力が強化されていることから、この問題はより大きなものとなる。
本願発明はこのような従来技術における問題点を解決するためになされたものであり、補強部によって相手端子と接触する接点部におけるバネ力が強化されている場合においても、相手端子の挿入を円滑にすることができる端子、該端子を用いたケーブル側コネクタ、及び、該ケーブル側コネクタを用いたケーブルコネクタ装置を提供することを目的とする。
【課題を解決するための手段】
【０００５】
上記の課題を解決するため、本発明の一態様による端子は、手前から奥に向かって相手端子が挿入される端子挿入空間を有する端子であって、前記端子挿入空間は、幅方向にて互いに離間され且つ高さ方向にてそれぞれ高さを有する第一及び第二の側壁の側縁側同士を折り重ねることによって略筒状に形成されており、前記端子挿入空間に近い側に配置された、前記折り重ねられた前記第一の側壁の側縁側には、前記高さ方向にて弾性変位可能な状態で片持ち梁状に支持された接触片が前記相手端子の挿入方向に沿って設けられており、前記端子挿入空間から遠い側に配置された、前記折り重ねられた前記第二の側壁の側縁側には、前記接触片を前記高さ方向にて補強する片持ち梁状に支持された補強部が前記相手端子の挿入方向に沿って設けられており、前記接触片に設けた前記相手端子との接点部は、前記接触片の支持部よりも、前記挿入方向において奥側に位置することを特徴として有する。
この態様の端子によれば、相手端子を端子挿入空間にある程度挿入した後にのみ当該相手端子を接触片と接触させることができるため、相手端子の挿入を円滑にすることができる。本構成では、特に、接触片のバネ力が補強部によって強化され、相手端子を挿入するために要する力が通常よりも大きいことから、より大きな効果を得ることができる。
【０００６】
上記態様の端子において、前記高さ方向において前記接触片と対面している前記端子挿入空間の内壁に対して、前記接触片の接点部は、前記接触片の支持部よりも、前記高さ方向にて近接しているのが好ましい。
この構成によれば、相手端子は、徐々に力を受けながら、接触片の接点部と接触することになり、相手端子の挿入を円滑にすることができる。
【０００７】
上記態様の端子において、前記接触片の自由端は、前記補強部と前記高さ方向にて対面しているのが好ましい。
この構成によれば、接触片の中で最も強度が弱い自由端を、補強部によって補強することができるため、相手端子との接圧をより確実に確保するとともに、接触片の耐久性をより確実に向上させることができる。
【０００８】
上記態様の端子において、前記補強部の側縁は、前記接触片とは反対側の前記補強部の面に向かって折り返されており、折り返された前記補強部の側縁に、片持ち梁状に支持されたランス用の片が形成されてもよい。
補強部の側縁側を折り返すことにより、補強部の強度を高めることができる。また、補強部の側縁側を片持ち梁状に支持することにより、補強部の側縁側をランス用の片として用いることができる。
【０００９】
上記態様の端子において、前記ランス用の片は、前記幅方向と前記高さ方向の双方に沿う断面において略Ｌ字形状を有するのが好ましい。
断面形状を略Ｌ字とすることにより、ランスの強度を強化することができる。
【００１０】
上記態様の端子において、前記接触片は、該接触片の支持部の近傍に、前記高さ方向にて前記接触片の面を打ち出した打ち出し部を有してもよい。
打ち出し部を設けることにより、打ち出しの方向及び度合いに応じて接触片の支持力を調整し、これによって接触片のバネ性を制御することができる。
【００１１】
上記態様の端子において、前記高さ方向にて前記接触片の接点部と対面している前記端子挿入空間の内壁に、前記高さ方向にて前記端子挿入空間側に突出する凸部を設けてもよい。
凸部を設けることにより、該凸部と接触片とによって相手端子の高さ方向における挿入距離を調整することができ、相手端子を端子挿入空間の所定位置により確実に位置決めすることができる。
【００１２】
上記態様の端子において、前記補強部は支持部によって片持ち梁状に支持されており、前記補強部の自由端側は、前記補強部の支持部よりも、前記挿入方向において奥側に位置するのが好ましい。
接触片と同様に、補強部を補強片として形成し、その自由端側を支持部よりも挿入方向において奥側に位置付けることにより、接触片の動作に同期させた状態で補強片を動作させることができ、接触片のバネ力を強化しつつ、相手端子の挿入を円滑にすることができる。
【００１３】
また、本発明は、上記端子を保持するハウジングを有するコネクタ、該コネクタと該コネクタと嵌合される相手コネクタを特徴とする。
【発明の効果】
【００１４】
本発明によれば、補強部によって相手端子と接触する接点部におけるバネ力が強化されている場合においても、相手端子の挿入を円滑にすることができる端子、該端子を用いたケーブル側コネクタ、及び、該ケーブル側コネクタを用いたケーブルコネクタ装置が提供される。
【図面の簡単な説明】
【００１５】
【図１】本発明の好ましい一つの実施形態による端子の斜視図である。
【図２】本体についての図１のＡ−Ａ線断面斜視図である。
【図３】本体の前面図である。
【図４】本体の側面図である。
【図５】図３のＢ−Ｂ線断面図である。
【図６】図４のＣ−Ｃ線断面図である。
【図７】本発明による端子の動作を段階的に説明する断面図である。
【図８】本発明による端子の動作を段階的に説明する断面図である。
【図９】本発明による端子の動作を段階的に説明する断面図である。
【図１０】本発明の好ましい一つの実施形態によるコネクタの斜視図である。
【図１１】コネクタのみの中心線断面図である。
【発明を実施するための形態】
【００１６】
以下、添付図面を参照しつつ、本発明の好適な実施形態について説明する。尚、説明の便宜のため好適な実施形態のみを示すが、勿論、これによって本発明を限定しようとするものではない。
【００１７】
図１に、本発明の好ましい一つの実施形態による端子の斜視図を示す。ここでは、一例としてケーブル端子３０を例に挙げて説明するが、本発明をケーブル端子に限定する意図ではない。
【００１８】
ケーブル端子３０は、例えば、一枚の薄い金属板に打ち抜き、折り曲げ加工することによって形成されている。ケーブル端子３０は、本体５１と、芯線カシメ部５２、及び、外被カシメ部５３を、これらの順に有する。
【００１９】
ケーブル端子３０には、ケーブル３の芯線（図示されていない）を芯線カシメ部５２によってかしめ、且つ、ケーブル３の外被３ａを外被カシメ部５３によってかしめることにより、ケーブル３の一端を固定することができるようになっている。
【００２０】
図２乃至図６に、本体５１の構成を更に詳細に示す。図２は、本体５１についての図１のＡ−Ａ線断面斜視図、図３は、その前面図、図４は、その側面図、図５は、図３のＢ−Ｂ線断面図、図６は、図４（ｂ）のＣ−Ｃ線断面図である。
【００２１】
本体５１には、相手端子が挿入される端子挿入空間５１ｂが形成されている。端子挿入空間５１ｂには、端子挿入口５１ａを通じて、手前から奥に向かって図示矢印「α１」方向に沿って相手端子を挿入することができる。端子挿入空間５１ｂは、幅方向（図示矢印「β」方向）にて互いに離間され且つ高さ方向（図示矢印「γ」方向）にてそれぞれ高さを有する側壁３１、４１の側縁側同士を折り重ねることにより、略筒状に形成されている。側壁３１と側壁４１は、略直角な湾曲部を介して天壁６１において互いに連結された状態にある。側壁３１には、幅方向「β」方向に貫通した係止穴３５が、これに対応して、側壁４１には、係止突起４５が、それぞれ設けられており、係止突起４５を係止穴３５に係止させることによって、側壁３１の側縁側３２と、側壁４１の側縁部４２とを固定し、略筒状体を保持している。係止突起４５は、図示矢印「α１」方向における支持部４２ａ部分に配置されており、接触片４２Ａを支持している。
【００２２】
側壁３１の側縁側３２よりも端子挿入空間５１ｂに近い側に配置された、折り重ねられた側壁４１の側縁部４２に、相手端子の挿入方向「α」に沿って接触片４２Ａが形成されている。接触片４２Ａは、支持部４２ａによって片持ち梁状に支持されており、高さ方向「γ」において弾性変位可能である。接触片４２Ａの自由端４２ｅ側には、端子挿入空間５１ｂに挿入された相手端子と接触し得る接点部４２ｂが形成されている。
【００２３】
接点部４２ｂは、山型に折り曲げることにより、高さ方向「γ」に多少突出した状態とされている。これにより、相手端子との接触をより確実に行うことができるようになっている。
また、接点部４２ｂは、接触片４２Ａの支持部４２ａよりも、挿入方向「α」において奥側に位置付けられている。相手端子が端子挿入空間５１ｂへ挿入されたとき、相手端子と接触片４２Ａの衝突を通じて相手端子に力が加わり、円滑な挿入が妨げられてしまうおそれがあるが、接点部４２ｂを支持部４２ａよりも奥側に位置付けることにより、端子挿入空間５１ｂにおいてある程度位置決めし且つ挿入にある程度勢いを与えた状態で、相手端子を接触片４２Ａと接触させることができるため、相手端子を端子挿入空間５１ｂへ円滑に挿入することができる。
【００２４】
支持部４２ａの近傍に、接触片４２Ａの面を高さ方向「γ」に打ち出した打ち出し部４２ｄを設けてもよい。打ち出し部４２ｄを設けることにより、打ち出し部４２ｄにおける打ち出しの方向及び度合いに応じて支持部４２ａによる接触片４２Ａの支持力を調整し、これによって接触片４２Ａのバネ性を制御することができる。例えば、図示のように、端子挿入空間５１ｂに向かって内方に打ち出された打ち出し部４２ｄを支持部４２ａに設けることにより、支持部４２ａによる接触片４２Ａの支持力を大きく設定してもよい。また、打ち出し部４２ｄの形状を、平面視略長方形状とすることにより、バネ性の制御が容易となっている。
【００２５】
接触片４２Ａは、高さ方向「γ」において、端子挿入空間５１ｂを形成している天壁６１の内壁６１ｃと対面している。この内壁６１ｃに対し、接触片４２Ａの接点部４２ｂは、支持部４２ａよりも、高さ方向「γ」において近接した状態にある。この構成によれば、相手端子は、徐々に力を受けながら、接触片４２Ａの接点部４２ｂと接触することになるため、相手端子の挿入を円滑にすることができる。
また、高さ方向「γ」において接触片４２Ａの接点部４２ｂと対面している端子挿入空間５１ｂの内壁６１ｃに、高さ方向「γ」にて端子挿入空間５１ｂ側に突出する凸部６１ｂを設けてもよい。凸部６１ｂを設けることにより、該凸部６１ｂと接触片４２Ａとによって相手端子の高さ方向「γ」における挿入距離を調整することができ、相手端子を端子挿入空間５１ｂの所定位置により確実に位置決めすることができる。凸部６１ｂは、幅方向「β」において２カ所に設けられ、挿入方向「α」において接点部４２ｂの手前から接点部４２ｂを超えた奥の位置まで設けられている。
【００２６】
側壁４１の側縁部４２よりも端子挿入空間５１ｂから遠い側に配置された、折り重ねられた側壁３１の側縁側３２は、挿入方向「α」に沿って伸びており、端子挿入空間５１ｂに向かって内方に折り曲げられている。折り曲げられた側縁側３２の一部３２Ａは、接触片４２Ａの底側に位置付けられ、接触片４２Ａを高さ方向「γ」にて補強する補強部として機能する。補強片３２Ａは、接触片４２Ａと異なり、側壁４１ではなく側壁４２の側縁側に形成されている。補強片３２Ａと接触片４２Ａとを、このように互いに離間された側壁３１、３２の側縁側にそれぞれに形成することにより、補強片３２Ａと接触片４２Ａが互いに実質的に影響を与えない態様として両者の働きを完全に分けることができる。また、補強部３２Ａを設けたことにより、接触片４２Ａのバネ力は強化され、また、接触片４２Ａの耐久性は向上する。このように接触片４２Ａのバネ力が補強部３２Ａによって強化されている場合には、端子挿入空間５１ｂへ相手端子を挿入させる際に相手端子が接触片４２Ａから受ける力は補強片３２Ａを設ける前より大きくなるが、上述したように、接触片４２Ａの接点部４２ｂは、接触片４２Ａの支持部４２ａよりも、端子挿入空間５１ｂの挿入方向「α」において奥側に位置付けられていることから、このような状況においても、相手端子の挿入を円滑に行うことができる。
【００２７】
補強部３２Ａは、接触片４２Ａと同様に、片として形成されてもよい。補強片３２Ａは、支持部３２ａによって片持ち梁状に支持され、高さ方向「γ」において弾性変位可能である。補強片３２Ａの自由端３２ｅ側は、接触片４２Ａと同様に、支持部３２ａよりも挿入方向「α」において奥側に位置付けられている。このように、補強片３２Ａを接触片４２Ａと同様の態様で支持することにより、接触片４２Ａの動作に同期させた状態で補強片３２Ａを動作させることができ、接触片４２Ａのバネ力を強化しつつ、相手端子の挿入を円滑にすることができる。
【００２８】
補強片３２Ａの自由端３２ｅ側は、挿入方向「α」において、接触片４２Ａの自由端４２ｅに達する長さとするのが好ましい。この場合、接触片４２Ａの自由端４２ｅは、補強片３２Ａと高さ方向「γ」において対面することになるが、この結果、接触片４２Ａの中で最も強度が弱い自由端４２ｅを、接点部４２ｂと反対側の底面４２ｆ側から補強片３２Ａによって補強することができ、相手端子との接圧をより確実に確保するとともに、接触片の耐久性をより確実に向上させることができる。
【００２９】
補強片３２Ａの側縁３３は、接触片４２Ａとは反対側の補強部３２Ａの面に向かって折り返されてもよい。このような折り返し部を設けることにより、補強片３２Ａの強度を高めることができる。
【００３０】
折り返された側縁３３は、ランス用の片として使用することもできる。ランス用の片として使用する場合、折り返された側縁３３を、接触片４２Ａや補強片３２Ａ等と同様に、挿入方向「α」の手前側において支持部３３ａによって片持ち梁状に支持し、高さ方向「γ」において弾性変位可能とする。ランス片３３ｂは、幅方向「β」と高さ方向「γ」の双方に沿う断面「β−γ」形状、例えば、略Ｌ字形状としてもよい。このような形状とすることにより、ランスの強度を高めることができる。
【００３１】
図７乃至図９を参照して、本発明の端子３０の動作を説明する。これらの図は、図５に対応する断面図であって、端子３０に相手端子７が挿入されたときの端子３０の動作を段階的に示した図である。尚、端子挿入空間５１ｂへの相手端子７の挿入を円滑にするため、相手端子７の先端は先細形状とされている。
【００３２】
図７の（ａ）に示すように、端子挿入空間５１ｂへ相手端子７が挿入される以前において、接触片４２Ａは、曲部４２ｃにおいて補強片３２Ａと接触した状態にあるが、曲部４２ｃより自由端４２ｅ側においては、高さ方向「γ」において補強片３２Ａと多少離間され、隙間が形成された状態にある。
図７の（ｂ）に、接触片４２Ａと補強片３２Ａの衝突部付近の部分拡大図を示す。この図に示すように、接触片４２Ａの底面４２ｆと、補強片３２Ａの上面３２ｂとの間に隙間が形成されていることにより、接触片４２Ａが補強片３２Ａの側に変位した際に、接触片４２Ａが補強片３２Ａに接触（衝突）するまでの間（接触当初段階）は接触片４２Ａのみの弾性力（反力）が相手端子７に加えられる。そして、接触片４２Ａが補強片３２Ａに接触（衝突）した後は、接触片４２Ａの弾性力（反力）に加え、補強片３２Ａの弾性力（反力）も加わることとなり、結果、２つの片の弾性力（反力）が相手端子７に加わることとなる。従って、接触当初段階では少ない挿入力で相手端子７を端子３０に挿入できるとともに、挿入後は２つの片の弾性力（反力）により、接触片４２Ａと相手端子７との接触状態を確実に保持することができ、例えば、振動が加わる条件下においても相手端子７と端子３０との瞬断などの不具合を生じることがない。
また、自由端４２ｅ側に形成された隙間ｍの大きさを接点部４２ｂ側に形成された隙間ｎの大きさよりも、多少小さく設定することにより、接触片４２Ａが補強片３２Ａの側に変位した際に、自由端４２ｅ側が先に補強片３２Ａと確実に接触する、すなわち、方向「α」における接触片４２Ａと補強片３２Ａとの接触位置をほぼ同じ位置に制御することができることになり、補強片３２Ａの弾性力（反力）を制御できる。更に、これらの隙間ｍ、ｎの大きさを、接触片４２Ａや補強片３２Ａの板厚よりも小さく設定することにより、接触片４２Ａに過大な変位が生じる前に補強片３２Ａに接触させることができる。隙間ｍ、ｎの大きさや位置は、折り曲げの角度や位置を調整することで制御できる。
【００３３】
図８に示すように、端子挿入空間５１ｂへ相手端子７が挿入される際、相手端子７は、端子挿入空間５１ｂの内壁６１ｃに設けた凸部６１ｂによって接触片４２Ａに向かって徐々にその位置を調整されつつ、接触片４２Ａ、特に、接触片４２Ａの自由端４２ｅの近傍に設けた接点部４２ｂと、凸部６１ｂとの間の隙間に挿入される。
【００３４】
相手端子７が端子挿入空間５１ｂへ更に挿入され、相手端子７が接触片４２Ａと接触すると、図９に示すように、接触片４２Ａの自由端４２ｅ側は、補強片３２Ａとの接触点である曲部４２ｃを支点として、補強片３２Ａの側に向かって変位する。この結果、接触片４２Ａは、自由端４２ｅ側の底面４２ｆにおいて、補強片３２Ａの上面３２ｂと衝突し、補強片３２Ａによって自由端４２ｅ側を支持される。補強片３２Ａは、接触片４２Ａと同様に、弾性変位可能に設けられているため、接触片４２Ａが補強片３２Ａに衝突した後は接触片４２Ａと同期して変位し、これによって、接触片４２Ａにバネ力（反力）を与えつつ、相手端子７の円滑な挿入を可能とする。
【００３５】
図１０に、図１乃至図９に示した本発明の好ましいケーブル端子３０を利用した、本発明の好ましい一つの実施形態によるコネクタ２０の斜視図を示すとともに、このコネクタ２０を利用した、本発明の好ましい一つの実施形態によるコネクタ装置１の斜視図を示し、更に、図１１に、コネクタ２０の中心線断面図を示す。
【００３６】
コネクタ２０の一例として、ここではケーブルコネクタを例に挙げて説明するが、本発明は、ケーブルコネクタ２０に限定されるものではない。同様に、コネクタ装置１の一例として、ここではケーブルコネクタ装置を例に挙げて説明するが、本発明は、ケーブルコネクタ装置１に限定されるものではない。
【００３７】
ケーブルコネクタ２０は、主に、ハウジング２１と、ハウジング２１の内部に配列された複数のケーブル端子３０を備える。
【００３８】
ハウジング２１にケーブル端子３０を取付ける際、ケーブル端子３０は、ハウジング２１の端子保持孔２２ｃに、挿入方向「α」に沿って、奥から手前に向かって図示矢印「α２」方向に挿入される。ケーブル端子３０には、補強部３２Ａの側縁３３を利用して、弾性変位可能なランス片３３ｂが形成されており、ケーブル端子３０が端子保持孔２２ｃに挿入される際、ランス片３３ｂは、その弾性を利用して端子保持孔２２ｃの底部内壁に設けた段部２４を乗り越えて、段部２４の前面２４ａに当接した状態でそこに嵌る。その後、ケーブル端子３０の側面に設けた切欠５４に挿入するように、ハウジング２１にリテーナ４を取付けることにより、ケーブル端子３０はハウジング２１の所定位置に固定され得る。ハウジング２１の所定位置に固定されたとき、ケーブル端子３０の端子挿入口５１ａは、ハウジング２１の端子挿入口２２ｂと整列し、相手端子が挿入される連通口を形成する。
【００３９】
ケーブルコネクタ装置１は、ケーブルコネクタ２０と基板コネクタ１０の組から成る。但し、上の説明からも明らかなように、本発明は、ケーブルコネクタ２０と基板コネクタ１０の組に限定されるものではなく、種々のコネクタに適用することができる。例えば、基板コネクタ同士の組としてもよいし、ケーブルコネクタ同士の組としてもよい。
【００４０】
基板コネクタ１０は、主に、ハウジング１１と、ハウジング１１の内部に配列された端子７を備える。ハウジング１１は、該ハウジング１１に埋め込まれた実装用金具１２を利用して基板２に固定される。
【００４１】
ハウジング１１の前面に、ケーブルコネクタ２０を嵌合させる嵌合口１１ａが設けられている。嵌合口１１ａを通じてケーブルコネクタ２０が基板コネクタ１０に嵌入される際、ケーブルコネクタ２０の端子挿入口５１ａとハウジング２１の端子挿入口２２ｂの連通口を通じて、基板コネクタ１０の相手端子７が、ケーブル端子３０の端子挿入空間５１ｂに挿入され、相手端子７とケーブル端子３０が電気的に接続される。また、このときケーブルコネクタ２０のハウジング２１に設けたロック突部２２ａが、基板コネクタ１０のハウジング１１に設けたロック孔１１ｂに嵌り、ケーブルコネクタ２０は基板コネクタ１０に係止される。
【００４２】
以上の説明は、好ましい実施形態に関するものであり、物品及びそれを製造する方法を単に代表するものであることを理解すべきである。異なる実施形態の変形及び修正が上述の教示に照らして当業者に容易に明らかになることを認めることができる。従って、例示的実施形態並びに代替的な実施形態は、添付の特許請求の範囲で説明する物品及び方法の精神から逸脱することなく行うことができる。
【符号の説明】
【００４３】
α  挿入方向
β  幅方向
γ  高さ方向
７  相手端子
３０  端子
３１  側壁（第二の側壁）
３２  側縁側
３２Ａ  補強部
４１  側壁（第一の側壁）
４２  側縁部
４２ａ  支持部
４２ｂ  接点部
４２Ａ  接触片
５１ｂ  端子挿入空間
【図１】
2019023961.tif 000003
【図２】
2019023961.tif 000004
【図３】
2019023961.tif 000005
【図４】
2019023961.tif 000006
【図５】
2019023961.tif 000007
【図６】
2019023961.tif 000008
【図７】
2019023961.tif 000009
【図８】
2019023961.tif 000010
【図９】
2019023961.tif 000011
【図１０】
2019023961.tif 000012
【図１１】
2019023961.tif 000013